(57)【特許請求の範囲】
【請求項１】
操作部を有する本体と、該本体に対してヒンジを介して連結され折り畳み可能に構成された表示部とを含み、該表示部は折り畳み状態で前記操作部と対面する前面に設けられた第１表示部および該第１表示部と反対側の背面に設けられた第２表示部を有するインターネットを介して他の携帯電話機や端末装置と通信する携帯電話装置において、
前記第２表示部は前記第１表示部に対して第２ヒンジを介して相互に表裏関係の非展開状態と略同一面に並列配置される展開状態に回転可能に構成されると共に、前記第２ヒンジを介して前記第１表示部および前記第２表示部が前記展開状態であることを検出する検出器を設け、
前記第１表示部および前記第２表示部は、前記非展開状態では相互に独立した通常モードで動作し、前記展開状態ではインターネットを介して送受信する多量の情報を分割して表示するように相互に協働動作する２画面表示モードで動作し、
前記通常モードでは、前記第１表示部および前記第２表示部には送信情報および受信情報をそれぞれ表示する
ことを特徴とする携帯電話装置。
【請求項２】
前記展開状態における前記第１表示部および前記第２表示部は、相互に左右に並べて配置されることを特徴とする請求項１に記載の携帯電話装置。
【請求項３】
前記展開状態における前記第１表示部および前記第２表示部は、相互に上下関係に並べて配置されることを特徴とする請求項１に記載の携帯電話装置。
【発明の詳細な説明】
【技術分野】
【０００１】
本発明は携帯電話装置に関し、特にインターネットを介して他の携帯電話や端末装置と通信し、送受信する情報を表示する表示部を備える携帯電話装置に関する。
【背景技術】
【０００２】
携帯電話等の携帯端末装置は、無線通信回線を介して他の携帯端末装置又はコンピュータ等の情報処理装置と通信可能である。特に最近の携帯端末装置は、文字情報のみならず画像情報の送受信が可能である。そのために、送受信する情報をユーザが見ることを可能にする出力手段として表示情報量の大きな液晶表示パネル等の表示装置が必要である。
【０００３】
図４は、典型的な従来の携帯電話装置の外観を示す斜視図である。この携帯電話装置４０は、ヒンジＨにより相互に折畳み（又は２つ折り）可能に構成された本体４１および表示部４４により構成される。本体４１には、テンキー等を含む操作部４２およびユーザの音声をピックアップするマイク４３を備えている。一方、本体に対して折畳み又は開閉可能な表示部４４には、相手からの音声を音響信号に変換するスピーカ４５、前面表示装置４６、その反対側に設けられた背面表示装置４７および無線信号の送受信を行うアンテナ４８を備えている。
【０００４】
通常状態（又は不使用時）には、表示部４４と本体４１を閉じて持ち運びに便利なコンパクト構成とされている。このとき、背面表示部４７には受信メール件数、相手電話番号、受信時刻等が表示される。
【０００５】
一方、使用時（通信時）には、表示部４４を本体４１から開き、図４に示す状態として、ユーザが操作部４２にアクセス可能にする。そこで、ユーザは、操作部４２のテンキー等を操作（又は押下）して通信したい相手又はサーバ等を呼び出す。そして、マイク４３を介して音声を送信して通話可能にすると共に、操作部４２のテンキー等を操作して作成したメッセージを送信することが可能である。通話相手からの音声は、スピーカ４５を介してユーザに伝えられる。また、サーバ等から送信されるメッセージや画像情報は、前面表示部４６に表示される。ユーザは、操作部４２の操作キーを操作して前面表示部４６に表示された文字又は画像情報を拡大、縮小、スクロール（移動）等を行い、受信した文字又は画像情報を読み取ることが可能である。
【０００６】
上述した如く前面表示部および背面表示部を備える携帯電話装置又は携帯情報端末は、種々の文献に開示されている（例えば、特許文献１乃至特許文献４参照。）。
【特許文献１】特開２００３-２４４３０１号公報（第４頁、第２図）
【特許文献２】特開２００３-１６９１１３号公報（第２-３頁、第１図、第２図）
【特許文献３】特開２００３-１６３７１９号公報（第２-３頁、第１図、第２図）
【特許文献４】特開２００１-１７５６０９号公報（第３頁、第１図、第２図）
【０００７】
上述した特許文献１には、前面表示部および背面表示部の両方を備え、背面表示部を全面表示部側に展開可能にしてこれら両方の表示部に表示される送信画面および受信画面を前面から同時に確認可能にする携帯情報端末を開示している。
【０００８】
また、特許文献２は、前面側に折り畳まれた複数の液晶表示部を備え、表示される情報量に応じてこれら表示部を展開させて表示する非折り畳み型の携帯電話機を開示している。特許文献３は、背面表示部を本体の側面にヒンジ部を介して取り付け、展開および回転させて大領域の表示部を形成する非折り畳み型の携帯電話機を開示している。更に、特許文献４は、本体の背面に折り畳まれた１以上の液晶表示部を備え、表示する画像の表示領域を拡大する非折り畳み型の携帯型情報端末を開示している。
【発明の開示】
【発明が解決しようとする課題】
【０００９】
しかし、上述した従来技術は、それぞれ欠点又は課題を有する。図４に示す如き一般的な携帯電話機では、送信画面および受信画面が表示部の相互に反対側に表示されるので、両方の表示画面はそれぞれ独立しており、両者に協働関係がない。従って、ＴＶ電話や電子メール等の大容量の情報を効率よく表示できない。また、特許文献１の携帯情報端末は、背面表示部を展開して前面表示部と同時に前面から確認することが可能であるが、両表示部の協働関係がないことは、上述の場合と同様である。更に、特許文献２〜特許文献４に開示される従来技術は、複数の表示部を展開することにより大容量の情報を表示可能にしているが、折り畳み型の携帯電話機ではないので、携帯性が悪く且つ送信情報の表示および受信情報の表示を効率的に行えない。
【００１０】
本発明は、従来技術の上述の如き課題に鑑みなされたものであり、良好な携帯性を維持すると共に、前面表示部および背面表示部を協働させて、必要に応じて大容量の情報を効率的に表示可能にする携帯電話装置を提供することを目的とする。
【課題を解決するための手段】
【００１１】
前述の課題を解決するため、本発明による携帯電話装置は、次のような特徴的な構成を採用している。
【００１２】
（１）操作部を有する本体と、該本体に対してヒンジを介して連結され折り畳み可能に構成された表示部とを含み、該表示部は折り畳み状態で前記操作部と対面する前面に設けられた第１表示部および該第１表示部と反対側の背面に設けられた第２表示部を有するインターネットを介して他の携帯電話機や端末装置と通信する携帯電話装置において、
前記第２表示部は前記第１表示部に対して第２ヒンジを介して相互に表裏関係の非展開状態と略同一面に並列配置される展開状態に回転可能に構成されると共に、前記第２ヒンジを介して前記第１表示部および前記第２表示部が前記展開状態であることを検出する検出器を設け、
前記第１表示部および前記第２表示部は、前記非展開状態では相互に独立した通常モードで動作し、前記展開状態ではインターネットを介して送受信する多量の情報を分割して表示するように相互に協働動作する２画面表示モードで動作し、
前記通常モードでは、前記第１表示部および前記第２表示部には送信情報および受信情報をそれぞれ表示する
ことを特徴とする携帯電話装置。
【００１３】
（２）前記展開状態における前記第１表示部および前記第２表示部は、相互に左右に並べて配置される上記（１）の携帯電話装置。
【００１４】
（３）前記展開状態における前記第１表示部および前記第２表示部は、相互に上下関係に並べて配置される上記（１）の携帯電話装置。
【発明の効果】
【００１８】
本発明による携帯電話装置によると、次の如き実用上の顕著な効果が得られる。第１表示部および第２表示部を独立した表示部として動作させる通常モードと、これら両表示部を並列して配置して協働動作させ２画面表示モードとして、表示装置を大型化することなく携帯性を維持して多量の情報を表示可能にする。
【実施例１】
【００１９】
以下、本発明による携帯電話装置の好適実施例の構成および動作を、添付図面を参照して詳細に説明する。
【００２０】
先ず、図１および図２は、本発明による携帯電話装置の第１実施例の外観を示す斜視図である。図１は、携帯電話装置１０の背面表示部が閉じた（又は非展開）通常状態を示す。図２は、図１の背面表示部を展開した状態を示す。
【００２１】
携帯電話装置１０は、中央部のヒンジＨにより折り畳み可能に機械的および電気的に連結された本体１１および表示部１４により構成される。本体１１は、テンキー等の複数のキーを有する操作部１２およびユーザの音声をピックアップするマイク１３を含んでいる。尚、図示しないが、この本体１１には、回路基板に搭載された複数の電子デバイスを含む電子回路およびこれら電子回路を駆動する電池等を内蔵する。
【００２２】
上述した本体１１とヒンジＨにより折り畳み可能に連結された表示部１４は、通信相手からの音声を音響信号に変換するスピーカ１５、前面表示部（第１表示部）１６、背面表示部（第２表示部）１７および基地局と無線通信するアンテナ１８を含んでいる。この特定実施例において、背面表示部１７は、表示部１４の右側面においてヒンジ１９により展開可能に構成されている。即ち、背面表示部１７は、通常状態では、図１に示す如く表示部１４の背面に閉じられクランプされており、必要に応じて図２に示す如くヒンジ１９を中心に背面表示部１７を回転させて、前面表示部１６および背面表示部１７が左右に略同一面に並列して配置される。
【００２３】
尚、背面表示部１７が図１に示す位置から図２に示す状態に展開されたことを示す検出器（図示せず）が設けられている。この検出器は、周知技術により構成可能である。例えば、表示部１４および背面表示部１７の接触面に設けた接触スイッチ、これら接触面の一方に設けられた永久磁石と他方に設けられたリードリレー又は磁気検出トランジスタ、又はヒンジ１９と一体的に設けられた圧電フィルム等により簡単に実現可能である。
【００２４】
次に、図１および図２に示す本発明による第１実施例の携帯電話装置１０の動作を説明する。上述の如く、本発明による携帯電話装置１０は、背面表示部１７を表示部１４に対して展開可能に取り付け、更に検出器により背面表示部１７が展開されたことを検出する。そして、この検出器からの信号により表示画面を２画面モードに切り替える。
【００２５】
即ち、通常状態では、図１に示す状態（又はヒンジＨを中心に表示部１４を本体１１に折り畳んだコンパクトな状態）とし、例えば送信情報を前面表示部１６に表示し、受信情報を背面表示部１７に表示している。従って、この状態では前面表示部１６および背面表示部１７間に協働関係はなく、それぞれ独立した表示装置として動作している。
【００２６】
一方、図２に示す如く、ユーザが背面表示部１７を展開した場合には、背面表示部１７が前面表示部１６と並列に配置される。即ち、前面表示部１６が左側に、背面表示部１７が右側に並列に配置される。そして、例えば前面表示部１６を第１表示部、背面表示部１７を第２表示部として両表示部１６、１７を一体の表示部として、例えば表示情報量の多い電子メール又はＴＶ電話のための情報を分割して表示することが可能である。また、両表示部１６、１７の一方（例えば、表示部１６）にＴＶ放送を受信しながら、他方（例えば、表示部１７）に電子メールの入力操作の表示部として使用することが可能である。このように、通常状態で背面表示部１７を展開すると、これを検知器で検知して、両表示部１６、１７を「２画面モード」に切り替えて協働関係で使用可能である。尚、各表示部１６、１７に表示される画面は、本体１１の操作部１２の予め決められたキーを操作して切替又は変更可能である。
【実施例２】
【００２７】
上述した第１実施例では、背面表示部１７を表示部１４の右側面に設けられたヒンジ１９により前面表示部１６の右側に展開したが、ヒンジ１９は表示部１４の他の面に設けてもよい。例えば、ヒンジ１９を表示部１４の左側面に設けてもよく、また図３に示す如く上面に設けてもよい。図３に示す携帯電話装置３０は、操作部３２およびマイク３３を有する本体３１と、この本体にヒンジＨにより連結された表示部３４とにより構成される。表示部３４には、スピーカ３５、前面表示部（第１表示部）３６、背面表示部（第２表示部）３７およびアンテナ３８を含んでいる。背面表示部３７は、表示部３４の上面に設けたヒンジ３９により展開可能に構成されている。
【００２８】
携帯電話装置３０は、通常状態では、図３に示す如く、背面表示部３７が前面表示部３６の反対面に配置される。しかし、ヒンジ３９を中心に背面表示部３７を展開すると、前面表示部３６の上側に背面表示部３７が並列に配置される。このとき、背面表示部３７が展開されたことを検出器（図示せず）で検出する。検出器の検出動作により、背面表示部３７は表示部を上下反転させる。これにより、表示部３６および表示部３７を「２画面モード」として使用可能であること、上述した第１実施例の場合と同様である。尚、この場合に、背面表示部３７は、上面から突出するアンテナ３８を回避する切り欠きを設けるか、アンテナ３８が通常状態において表示部３４の上面から突出しないように構成する必要がある。或いは、アンテナ３８を表示部３４の側面に設けてもよい。
【００２９】
以上、本発明による携帯電話装置の好適実施例を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００３０】
【図１】本発明による携帯電話装置の第１実施例の通常状態における斜視図である。
【図２】図１に示す携帯電話装置の背面表示部を展開して２画面モードとして動作している状態の斜視図である。
【図３】本発明による携帯電話装置の第２実施例の斜視図である。
【図４】典型的な従来の折り畳み型携帯電話機の斜視図である。
【符号の説明】
【００３１】
１０、３０  携帯電話装置
１１、３１  本体
１２、３２  操作部
１３、３３  マイク
１４、３４  表示部
１５、３５  スピーカ
１６、３６  第１表示部（前面表示部）
１７、３７  第２表示部（背面表示部）
１８、３８  アンテナ
１９、３９、Ｈ  ヒンジ
【図１】
0004890743.tif 000002
【図２】
0004890743.tif 000003
【図３】
0004890743.tif 000004
【図４】
0004890743.tif 000005